(57)【要約】【課題】マンホールから外部への漏れを抑制することができるマンホール密閉装置の取付治具および取付方法を提供すること。【解決手段】マンホール密閉装置の取付治具２０は、受圧板２に形成され、かつ外蓋に対して受圧板２を保持する保持ボルトが締結される保持ボルト用締結穴２ｂに締結されることで受圧板２を取付治具２０に固定する位置決めボルト２４が挿入される位置決めボルト用貫通穴２１ｂと、マンホールに形成され、かつマンホールに対して外蓋を固定する固定ボルトが締結される固定ボルト用締結穴に締結されるガイドピンが挿入されるガイドピン用貫通穴２１ａとを有する治具本体２１を備える。この取付治具２０は、位置決めボルト２４により受圧板２を固定し、固定ボルト用締結穴に締結されるガイドピンをガイドピン用貫通穴２１ａに挿入することで、マンホール１２内に受圧板２を挿入する。【選択図】        図９−２
2007155054.tif 000002
【特許請求の範囲】
【請求項１】
圧力容器の内外を連通するマンホール内に配置され、当該圧力容器の内部の圧力を受ける受圧板と、前記受圧板が受けた前記圧力により前記外部側へ押圧されることで膨張するシール部材と、前記マンホールの外部側の端面に固定される外蓋と、からなるマンホール密閉装置の取付治具であって、
前記受圧板に形成され、かつ前記外蓋に対して前記受圧板を保持する保持ボルトが締結される保持ボルト用締結穴に締結されることで当該受圧板を当該取付治具に固定する位置決めボルトが挿入される位置決めボルト用貫通穴と、
前記マンホールに形成され、かつ前記マンホールに対して前記外蓋を固定する固定ボルトが締結される固定ボルト用締結穴に締結されるガイドピンが挿入されるガイドピン用貫通穴と、
を有する治具本体を備えることを特徴とするマンホール密閉装置の取付治具。
【請求項２】
前記治具本体の前記受圧板が固定される一方の面に固定されるスペーサをさらに備え、当該スペーサの軸方向の厚みは、前記マンホール密閉装置が前記マンホールに取り付けられた際における前記受圧板の取付位置から前記マンホールの外部側の端面までの距離以上であることを特徴とする請求項１に記載のマンホール密閉装置の取付治具。
【請求項３】
前記治具本体の前記受圧板が固定される面と対向する他方の面に固定されるバランス部材をさらに備え、
前記バランス部材は、前記取付治具を吊り上げた際に、前記治具本体に固定された受圧板の軸方向が水平あるいはほぼ水平となる形状であることを特徴とする請求項１または２に記載のマンホール密閉装置の取付治具。
【請求項４】
圧力容器の内外を連通するマンホール内に配置され、当該圧力容器の内部の圧力を受ける受圧板と、前記受圧板が受けた前記圧力により前記外部側へ押圧されることで膨張するシール部材と、前記マンホールの外部側の端面に固定される外蓋と、からなるマンホール密閉装置の取付方法であって、
前記マンホールに形成され、かつ前記マンホールに対して前記外蓋を固定する固定ボルトが締結される固定ボルト用締結穴にガイドピンを締結する工程と、
前記請求項１〜３のいずれか１つに記載のマンホール密閉装置の取付治具に前記受圧板を固定する工程と、
前記治具本体の前記ガイドピン用貫通穴に前記ガイドピンを挿入することで、前記取付治具に固定された前記受圧板をマンホール内に挿入する工程と、
を含むことを特徴とするマンホール密閉装置の取付方法。
【請求項５】
前記マンホール内に挿入された前記受圧板から前記取付治具を取り外す工程と、
前記外蓋の前記固定ボルトが挿入される固定ボルト用貫通穴に前記ガイドピンを挿入するとともに、前記マンホールに対して当該外蓋を仮止めする工程と、
前記外蓋に対して前記受圧板を保持ボルトにより保持する工程と、
前記ガイドピンを取り外す工程と、
前記仮止めされた外蓋を前記マンホールに対して固定ボルトにより固定する工程と、
をさらに含むことを特徴とするマンホール密閉装置の取付方法。
【発明の詳細な説明】
【技術分野】
【０００１】
本発明は、マンホール密閉装置の取付治具および取付方法に関し、さらに詳しくは、マンホールに形成されたマンホール内に受圧板を挿入するマンホール密閉装置の取付治具およびこの取付治具を用いた取付方法に関するものである。
【背景技術】
【０００２】
発電、化学、石油精製、鉄鋼等の種々のプラントでは、内部に水を導入して加熱したり、内部にガスを貯留したり、内部に液体や気体を導入して化学反応させたりするために、内部の圧力が外部の圧力よりも高くなる圧力容器が用いられている。このような種々のプラントに用いられる圧力容器は、大型のものであり、保守点検時に作業者がこの圧力容器の内部に出入できるマンホールが形成されている。このマンホールは、図１４に示すように、圧力容器１１０の外壁１１１に形成されており、圧力容器１１０の内部と外部とを連通するものである。
【０００３】
このマンホール１００は、圧力容器１１０の使用時に、内部の液体や気体が外部に漏洩するのを確実に防止するため、外部から確実に密閉することが必要となる。そこで、従来においては、特許文献１に示すようなマンホール密閉装置が提案されている。この従来のマンホール密閉装置１０１は、同図に示すように、シール板１０２と、外蓋１０３とにより構成されている。シール板１０２は、マンホール１００の外部側の端部に配置され、その外周面がこのマンホール１００の外部側の端部に溶接される（同図に示すＸ）。これにより、マンホール１００の外部側の端部が閉塞される。外蓋１０３は、マンホール１００の外部側の端部に溶接されたシール板１０２を覆うように配置され、複数本のボルト１０４をこの外蓋１０３に形成されたボルト穴１０３ａに挿入し、圧力容器１１０の外壁１１１に形成された締結穴１１１ａに締結することで、マンホール１００に固定される。
【０００４】
上記従来のマンホール密閉装置１０１では、圧力容器１１０の使用中に内部の圧力が外部の圧力よりも高くなると、この内部の圧力を受けてシール板１０２が軸方向のうち外部側に変形しようとするが、このシール板１０２の外部側に位置する外蓋１０３がこのシール板１０２の変形を抑制する。つまり、圧力容器１１０の内部の圧力は、シール板１０２ではなく外蓋１０３が受けることとなり、これにより外部から確実に密閉できるものである。
【０００５】
しかしながら、従来のマンホール密閉装置１０１では、作業者による圧力容器１１０の内部の保守点検時には、マンホール１００の外部側の端部に溶接されているシール板１０２を取り外す必要があった。また、作業者による保守点検後には、再びシール板１０２をマンホール１００の外部側の端部に溶接する必要があった。これらにより、従来のマンホール密閉装置１０１では、煩雑なマンホール開閉作業で必要があった。
【０００６】
【特許文献１】特開２００３−９５３８２号公報
【発明の開示】
【発明が解決しようとする課題】
【０００７】
そこで、煩雑なマンホール開閉作業を抑制するために、マンホールとこのマンホールの密閉装置との間で溶接を行わずに、マンホールの外部側の端部を閉塞し、外部から確実に密閉するマンホールの密閉装置が考えられる。このマンホールの密閉装置においては、マンホール内に受圧板を挿入して、この受圧板が受ける圧力容器の内部の圧力により、軸方向に押圧され径方向に膨張するシール部材を用いたマンホールの密閉装置が考えられる。このマンホールの密閉装置では、この受圧板をマンホール内に挿入する必要があるが、この受圧板を挿入する際に、受圧板によりマンホールの内周面を傷つける虞がある。マンホールの内周面を傷つけると、このマンホール内周面とシール部材との間から、圧力容器の内部から液体や気体が外部に流出するという虞がある。
【０００８】
この発明は、上記に鑑みてなされたものであって、マンホールから外部への漏れを抑制することができるマンホール密閉装置の取付治具および取付方法を提供することを目的とする。
【課題を解決するための手段】
【０００９】
上述した課題を解決し、目的を達成するために、この発明では、圧力容器の内外を連通するマンホール内に配置され、当該圧力容器の内部の圧力を受ける受圧板と、前記受圧板が受けた前記圧力により前記外部側へ押圧されることで膨張するシール部材と、前記マンホールの外部側の端面に固定される外蓋と、からなるマンホール密閉装置の取付治具であって、前記受圧板に形成され、かつ前記外蓋に対して前記受圧板を保持する保持ボルトが締結される保持ボルト用締結穴に締結されることで当該受圧板を当該取付治具に固定する位置決めボルトが挿入される位置決めボルト用貫通穴と、前記マンホールに形成され、かつ前記マンホールに対して前記外蓋を固定する固定ボルトが締結される固定ボルト用締結穴に締結されるガイドピンが挿入されるガイドピン用貫通穴と、を有する治具本体を備えることを特徴とする。
【００１０】
また、この発明では、圧力容器の内外を連通するマンホール内に配置され、当該圧力容器の内部の圧力を受ける受圧板と、前記受圧板が受けた前記圧力により前記外部側へ押圧されることで膨張するシール部材と、前記マンホールの外部側の端面に固定される外蓋と、からなるマンホール密閉装置の取付方法であって、前記マンホールに形成され、かつ前記マンホールに対して前記外蓋を固定する固定ボルトが締結される固定ボルト用締結穴にガイドピンを締結する工程と、上記マンホール密閉装置の取付治具に前記受圧板を固定する工程と、前記治具本体の前記ガイドピン用貫通穴に前記ガイドピンを挿入することで、前記取付治具に固定された前記受圧板をマンホール内に挿入する工程と、含むことを特徴とする。
【００１１】
これらの発明によれば、位置決めボルト用貫通穴に挿入された位置決めボルトにより受圧板を取付治具に固定した状態で、ガイドピン用貫通穴にガイドピンを挿入すると、マンホールの中心とこの取付治具に固定された受圧板の中心とが軸方向においてほぼ一致する。従って、このガイドピン用貫通穴にガイドピンを挿入した状態で、取付治具をマンホール側に移動させると、マンホールの中心と受圧板の中心とが軸方向においてほぼ一致した状態で、受圧板をマンホール内に挿入することができる。これにより、取付治具によりマンホール内に挿入される受圧板がマンホールを損傷することを抑制することができる。
【００１２】
また、この発明では、上記マンホール密閉装置の取付治具および取付方法において、前記治具本体の前記受圧板が固定される一方の面に固定されるスペーサをさらに備え、当該スペーサの軸方向の厚みは、前記マンホール密閉装置が前記マンホールに取り付けられた際における前記受圧板の取付位置から前記マンホールの外部側の端面までの距離以上であることを特徴とする。
【００１３】
この発明によれば、受圧板は、治具本体の一方の面に固定されるスペーサを介して取付治具に固定された状態で、マンホール内に挿入される。そして、この取付治具は、治具本体の一方の面がマンホールの外部側の端面に当接するまで、受圧板をマンホール内に挿入される。このとき、この受圧板は、スペーサの厚み分、すなわちマンホール密閉装置がこのマンホールに取り付けられた際における受圧板の取付位置からこのマンホールの外部側の端面までの距離以上まで、マンホールの外部側の端面からマンホール内に挿入される。従って、取付治具によりマンホール内に挿入された受圧板は、マンホール密閉装置がマンホールに取り付けられた際における取付位置まで挿入されているので、改めて軸方向における位置を調整する必要がなく、マンホールの損傷をさらに抑制することができる。
【００１４】
また、この発明では、上記マンホール密閉装置の取付治具および取付方法において、前記治具本体の前記受圧板が固定される面と対向する他方の面に固定されるバランス部材をさらに備え、前記バランス部材は、前記取付治具を吊り上げた際に、前記治具本体に固定された受圧板の軸方向が水平あるいはほぼ水平となる形状であることを特徴とする。
【００１５】
この発明によれば、受圧板が固定された取付治具は、バランス部材により、この取付治具を吊り上げた際に、水平あるいはほぼ水平を維持することができる。従って、圧力容器にマンホールが水平方向に形成されている場合に、固定ボルト用締結穴に締結されたガイドピンに、治具本体に形成されたガイドピン用貫通穴を容易に挿入することができる。これにより、マンホール密閉装置の取付時における作業性を向上することができる。
【００１６】
また、この発明では、上記マンホール密閉装置の取付方法において、前記マンホール内に挿入された前記受圧板から前記取付治具を取り外す工程と、前記外蓋の前記固定ボルトが挿入される固定ボルト用貫通穴に前記ガイドピンを挿入するとともに、前記マンホールに対して当該外蓋を仮止めする工程と、前記外蓋に対して前記受圧板を保持ボルトにより保持する工程と、前記ガイドピンを取り外す工程と、前記仮止めされた外蓋を前記マンホールに対して固定ボルトにより固定する工程と、をさらに含むことを特徴とする。
【００１７】
また、この発明によれば、ガイドピンは、マンホールに対して外蓋を固定ボルトにより仮止めし、この外蓋に対して受圧板を保持ボルトにより保持した後に、取り外される。従って、このガイドピンを外蓋の受圧板に対する位置決めと、マンホールに対する位置決めとに用いることができ、外蓋に対して受圧板を容易に保持することができるとともに、マンホールに対して外蓋を容易に固定することができる。これにより、マンホール密閉装置の取付時における作業性を向上することができる。
【発明の効果】
【００１８】
この発明にかかるマンホール密閉装置の取付治具および取付方法は、マンホール内へ受圧板を挿入する際に、このマンホールが損傷することを抑制することができるので、マンホールから外部への漏れを抑制することができるという効果を奏する。
【発明を実施するための最良の形態】
【００１９】
以下、この発明につき図面を参照しつつ詳細に説明する。なお、この実施例によりこの発明が限定されるものではない。また、下記実施例における構成要素には、当業者が容易に想定できるもの或いは実質的に同一のものが含まれる。
【実施例】
【００２０】
図１−１は、圧力容器のマンホールの構成例を示す図である。図１−２は、圧力容器のマンホールの断面図を示す図（図１−１のＡ−Ａ断面図）である。図２−１は、受圧板の構成例を示す図である。図２−２は、受圧板の断面図を示す図（図２−１のＢ−Ｂ断面図）である。図３−１は、シールリングの構成例を示す図である。図３−２は、シールリングの断面図を示す図（図３−１のＣ−Ｃ断面図）である。図４−１は、受け座の構成例を示す図である。図４−２は、受け座の断面図を示す図（図４−１のＥ−Ｅ断面図）である。図５−１は、外蓋の構成例を示す図である。図５−２は、外蓋の断面図を示す図（図５−１のＦ−Ｆ面図）である。
【００２１】
マンホール密閉装置１は、受圧板２と、シールリング３と、受け座４と、外蓋５とにより構成されている（図１３参照）。このマンホール密閉装置１は、図１−１および図１−２に示すような圧力容器１０の外壁１１に水平方向に形成されたマンホール１２に取り付けられるものである。このマンホール密閉装置１は、この圧力容器１０の内外を連通するマンホール１２に取り付けられることで、このマンホール１２の外部側の端部を密閉するものである。このマンホール１２の外部側の端部周囲、すなわち端面１２ａには、マンホール１２の中心Ｏ１を中心とする半径Ｒ１の円周上に、複数個の固定ボルト用締結穴１３ａ，１３ｂ（この実施例では、固定ボルト用締結穴１３ａが８個、固定ボルト用締結穴１３ｂが４個）が等間隔で形成されている。なお、固定ボルト用締結穴１３ｂは、後述するガイドピン３０を締結するものでもある。
【００２２】
受圧板２は、マンホール１２内に配置され、圧力容器１０の内部の圧力である内圧を受けるものである。この受圧板２は、図２−１および図２−２に示すように、圧力容器１０の内部の圧力である内圧により変形し難い材料、例えば金属材料などで形成されている。この受圧板２は、円板形状であり、マンホールの内径Ｄ１よりも、若干小さい直径Ｄ２により形成されている。この受圧板１の軸方向において対向する面のうち一方の面２ａ（外部側の面）には、この受圧板２の中心Ｏ２を中心とする半径Ｒ２の円周上に、複数個の保持ボルト用締結穴２ｂ（この実施例では、４個）が等間隔に形成されている。この受圧板２の軸方向において一方の端部（外部側の端部）には、シールリング３および受け座４が挿入される段差部２ｃが形成されている。
【００２３】
シールリング３は、マンホール１２内に配置された受圧板２の段差部２ｃに挿入されるシール部材であり、この受圧板２が受けた内圧により、外部側に押圧されるものである。このシールリング３は、図３−１および図３−２に示すように、開口部３ａを有するリング形状に、圧力を受けることで膨張する材料、例えば膨張黒鉛などで形成されている。このシールリング３は、外径Ｄ３がマンホール１２の内径Ｄ１とほぼ同一となるように、内径Ｄ４が受圧板２の段差部２ｃにおける直径Ｄ５とほぼ同一となるように形成されている。
【００２４】
受け座４は、シールリング３が挿入されたマンホール１２内に配置された受圧板２の段差部２ｃに挿入されるものであり、シールリング３と外蓋５との間に配置されるものである。この受け座４は、図４−１および図４−２に示すように、開口部４ａを有するリング形状に、例えば金属材料など形成されている。この受け座４は、外径Ｄ６がマンホール１２の内径Ｄ１とほぼ同一となるように、内径Ｄ７が受圧板２の段差部２ｃにおける直径Ｄ５とほぼ同一となるように形成されている。なお、シールリング３および受け座４は、それぞれの厚みＷ１，Ｗ２を合わせた長さが、受圧板２の段差部の軸方向の長さＷ３よりも長くなるように設定される。従って、受圧板２の段差部２ｃにシールリング３および受け座４を挿入した際に、この受け座が段差部２ｃから外部側に突出することとなる（図１３参照）。
【００２５】
外蓋５は、マンホール１２の外部側の端面に固定されるものである。この外蓋５は、図５−１および図５−２に示すように、例えば金属材料などで形成されている。この外蓋５は、円板形状であり、上記外壁１１の固定ボルト用締結穴１３ａ，１３ｂのそれぞれに対応する複数個の固定ボルト用貫通穴５ａ，５ｂ（この実施例では、固定ボルト用貫通穴５ａが８個、固定ボルト用貫通穴５ｂが４個）が形成されている。つまり、この外蓋５の中心Ｏ３を中心とする半径Ｒ１の円周上に、外壁１１に形成される固定ボルト用締結穴１３ａ，１３ｂと同じ間隔で固定ボルト用貫通穴５ａ，５ｂが形成されている。なお、固定ボルト用貫通穴５ｂは、後述するガイドピン３０が挿入されるものでもある。また、外蓋５は、受圧板２の保持ボルト用締結穴２ｂのそれぞれに対応する複数個の保持ボルト用貫通穴５ｃ（この実施例では、４個）が形成されている。つまり、この外蓋５の中心Ｏ３を中心とする半径Ｒ２の円周上に、受圧板２に形成される保持ボルト用締結穴２ｂと同じ間隔で保持ボルト用貫通穴５ｃが形成されている。ここで、５ｄは、受圧板２を取り外す際に、シールリング３との間に若干の隙間を設けるためのジャッキボルト穴である。
【００２６】
次に、上記マンホール密閉装置１をマンホール１２に取り付ける取付治具２０について説明する。図６−１は、マンホール密閉装置の取付治具の裏面図である。図６−２は、マンホール密閉装置の取付治具の側面図である。図６−１および図６−２に示すように、この取付治具２０は、マンホール密閉装置１のうち受圧板２をマンホール１２内に挿入するものである。この取付治具２０は、治具本体２１と、バランス部材２２と、スペーサ２３とにより構成されている。治具本体２１は、平板形状であり、対向する図示しない平面のうち、一方の面にバランス部材２２が、他方の面にスペーサ２３がそれぞれ固定される。
【００２７】
この治具本体２１は、平板形状に、例えば金属材料などで形成されている。また、治具本体２１は、外壁１１、すなわちマンホール１２の端面１２ａの固定ボルト用締結穴１３ｂのそれぞれに対応する複数個のガイドピン用貫通穴２１ａ（この実施例では、合計４個）が形成されている。つまり、この治具本体２１の中心Ｏ４を中心とする半径Ｒ１の円周上に、外壁１１に形成される固定ボルト用締結穴１３ｂと同じ間隔でガイドピン用貫通穴２１ａが形成されている。また、治具本体２１は、受圧板２の保持ボルト用締結穴２ｂのそれぞれに対応する複数個の位置決めボルト用貫通穴２１ｂ（この実施例では、合計４個）が形成されている。つまり、治具本体２１の中心Ｏ４を中心とする半径Ｒ２の円周上に、受圧板２に形成される保持ボルト用締結穴２ｂと同じ間隔で位置決めボルト用貫通穴２１ｂが形成されている。また、治具本体２１には、その長手方向の一方の端部に吊り上げ用部材２１ｃ，２１ｃが形成されている。この吊り上げ用部材２１ｃ，２１ｃは、図示しない吊り上げ手段により、取付治具２０を吊り上げる際に用いられるものである。
【００２８】
バランス部材２２は、治具本体２１の一方の面の中央部に固定されており、その断面形状がＴ字形状の形鋼であり、この一方の面から水平方向に延在して形成されている。このバランス部材２２の長さは、この取付治具２０を後述する吊り上げ手段であるチェーンブロック４０により吊り上げた際に、治具本体２１に固定された受圧板２の軸方向が水平あるいはほぼ水平となるように設定されている。つまり、バランス部材２２は、取付治具２０が吊り上げられた際に、治具本体２１に固定された受圧板２の軸方向が水平あるいはほぼ水平となる形状である。これにより、受圧板２が固定された取付治具２０は、このバランス部材２２により、吊り上げ手段により吊り上げた際に、水平あるいはほぼ水平に維持される。
【００２９】
スペーサ２３は、ほぼ円板形状に、例えば金属材料などで形成されている。また、このスペーサ２３は、治具本体２１の他方の面の中央部に、その図示しない中心とこの治具本体２１の中心Ｏ４と軸方向において一致するように固定されている。このスペーサ２３は、治具本体２１に形成された位置決めボルト用貫通穴２１ｂのそれぞれと連通する複数個の連通穴２３ａ（同図においては、合計４個）が形成されている。このスペーサ２３は、その軸方向の厚みＷ４がマンホール密閉装置１がマンホール１２に取り付けられた際における受圧板２の取付位置からマンホール１２の外部側の端面１２ａまでの距離以上に設定されている。この実施例では、スペーサ２３の軸方向の厚みＷ４は、シールリング３の厚みＷ１および受け座４の厚みＷ２を合わせたものから受圧板２の段差部の軸方向の長さＷ３を引いた長さとなる。これは、マンホール１２内で受圧板２が外蓋５に対して保持された際に、受圧板２と外蓋５との間の隙間、すなわち受圧板２の取付位置（一方の面２ａ）から端面１２ａまで距離Ｗ５が、シールリング３の厚みＷ１および受け座４の厚みＷ２を合わせたものから受圧板２の段差部の軸方向の長さＷ３を引いた長さとほぼ同一となるためである。
【００３０】
次に、この発明にかかるマンホール密閉装置１の取付方法について説明する。図７−１〜図１２は、マンホール密閉装置の取付方法を示す図である。図１３は、マンホール密閉装置の取付状態を示す図である。
【００３１】
まず、図７−１および図７−２に示すように、ガイドピン３０をマンホール１２に締結する。これは、複数本のガイドピン３０をマンホール１２の端面１２ａに形成された固定ボルト用締結穴１３ｂにそれぞれ締結することで行う。ここで、ガイドピン３０は、棒形状に、例えば金属材料により形成されている。このガイドピン３０は、その一方の端部に後述する固定ボルト７と同様のネジが形成されている。また、ガイドピン３０は、その直径が取付治具２０のガイドピン用貫通穴２１ａの直径および外蓋５の固定ボルト用貫通穴５ｂの直径よりも若干小さくなるように形成されている。つまり、ガイドピン３０がガイドピン用貫通穴２１ａに挿入された取付治具２０および固定ボルト用貫通穴５ｂに挿入された外蓋５は、このガイドピン３０により、軸方向に摺動可能に支持されることとなる。
【００３２】
次に、図８−１および図８−２に示すように、シールリング３を受圧板２に取り付けた後に、この受圧板２を取付治具２０に固定する。具体的には、取付治具２０の治具本体２１の一方の面（スペーサ２３が取り付けられている側の面）と、シールリング３が取り付けられた受圧板２の面２ａとを対向させる。そして、この治具本体２１の他方の面から複数本の位置決めボルト２４を位置決めボルト用貫通穴２１ｂを介して、受圧板２の保持ボルト用締結穴２ｂにそれぞれ締結する。これにより、受圧板２は、スペーサ２３を介して治具本体２１に固定される。
【００３３】
次に、圧力容器１０の外部で、かつマンホール１２近傍に予め取り付けられているあるいは新たに取り付けた吊り上げ手段である図示しないチェーンブロックのチェーン４０，４０を吊り上げ用部材２１ｃに取り付ける。次に、この図示しないチェーンブロックにより、取付治具２０に固定された受圧板２とマンホール１２とがほぼ対向する位置まで、この取付治具２０を吊り上げる。このとき、上述のように、受圧板２が固定された取付治具２０は、治具本体２１に固定されたバランス部材２２により、水平あるいはほぼ水平に維持される。
【００３４】
このとき、図示しないチェーンブロックにより吊り上げられた受圧板２が固定された取付治具２０は、水平あるいはほぼ水平を維持しているため、少ない力、例えば作業員一人程度の力で、取付治具２０を図８−２の矢印Ｇに示すように、マンホール１２に向かって移動させることができる。従って、圧力容器１１にマンホール１２が水平方向に形成されている場合に、固定ボルト用締結穴１３ｂに締結されたガイドピン３０に治具本体２１に形成されたガイドピン用貫通穴２１ａを容易に挿入することができる。これにより、マンホール密閉装置１の取付時における作業性を向上することができる。
【００３５】
次に、図９−１および図９−２に示すように、取付治具２０を軸方向のうちマンホール側に移動させることで、治具本体２１のガイドピン用貫通穴２１ａに、固定ボルト用締結穴１３ｂに締結されたガイドピン３０をそれぞれに挿入する。このとき、取付治具２０に固定された受圧板２の中心（図２−１のＯ２）とマンホールの中心（図１−１のＯ１）とは、軸方向においてほぼ一致することとなる。そして、取付治具２０を軸方向のうちマンホール側にさらに移動させることで、取付治具２０に固定された受圧板２をマンホール１２内に挿入する。このとき、治具本体２１の一方の面がマンホール１２の端面１２ａに当接するまで、取付治具２０を軸方向のうちマンホール側に移動する。
【００３６】
次に、図１０−１および図１０−２に示すように、マンホール１２内に挿入された受圧板２から取付治具２０を取り外す。これは、保持ボルト用締結穴２ｂにそれぞれ締結された複数本の位置決めボルト２４を取り外し、ガイドピン３０がガイドピン用貫通穴２１ａから引き抜かれるまで、取付治具２０を軸方向の外部側に移動することで行われる。これにより、受圧板２は、マンホール１２内に挿入されたままとなる。
【００３７】
次に、受け座４を図１０−２の矢印Ｈに示すように、マンホール１２内に挿入する。具体的には、すでにシールリング３が挿入されている段差部２ｃに、受け座４の開口部４ａを段差部２ｃに挿入する。
【００３８】
次に、図１１−１および図１１−２に示すように、外蓋５を軸方向のうちマンホール側に移動させるとともに、この外蓋５の固定ボルト用貫通穴５ｂに、固定ボルト用締結穴１３ｂに締結されたガイドピン３０をそれぞれに挿入する。これは、図示しないチェーンブロックのチェーン４０を取付用穴５ｄに取付け、この図示しないチェーンブロックにより、外蓋５をこの外蓋５とマンホール１２とがほぼ対向する位置まで吊り上げた状態で行われる。このとき、外蓋５のマンホール１２と対向する面がマンホール１２の端面１２ａに当接するまでマンホール側に移動させる。これにより、外蓋５の保持ボルト用貫通穴５ｃの中心と、マンホール１２内に挿入された受圧板２の保持ボルト用締結穴２ｂの中心Ｏ４とが軸方向においてほぼ一致する。
【００３９】
ここで、治具本体２１の一方の面に固定されるスペーサ２３を介して取付治具２０に固定された状態でマンホール１２内に挿入された受圧板２は、受圧板２と外蓋５との間の隙間、すなわち受圧板２の取付位置（一方の面２ａ）から端面１２ａまで距離Ｗ５が、スペーサの厚みＷ４となる。従って、取付治具２０によりマンホール１２内に挿入された受圧板２は、少なくともマンホール密閉装置１がマンホール１２に取り付けられた際における取付位置まで挿入されているので、改めて軸方向における位置を調整する必要がなく、マンホール１２の損傷を抑制することができ、作業性の低下を抑制することができる。
【００４０】
次に、マンホール１０に対して外蓋５を仮止めする。これは、固定ボルト用貫通穴のうち、ガイドピン３０が挿入されている固定ボルト用貫通穴５ｂを除く固定ボルト用貫通穴５ａに固定ボルト７（図１３参照）をそれぞれ挿入し、マンホール１２の端面１２ａに形成された固定ボルト用締結穴１３ａにそれぞれ締結することで行われる。
【００４１】
次に、図１２に示すように、外蓋５に対して受圧板２を保持する。これは、外蓋５の保持ボルト用貫通穴５ｃに複数本の保持ボルト６（実施例では、４本）をそれぞれ挿入し、受圧板２の面２ａに形成された保持ボルト用締結穴２ｂにそれぞれ締結することで行われる。これにより、受圧板２は、軸方向のうち外部側への移動のみが許容された状態で、外蓋５に保持される。
【００４２】
次に、ガイドピン３０をマンホール１２から取り外す。これは、マンホール１２の端面１２ａに形成された固定ボルト用締結穴１３ｂにそれぞれ締結された複数本のガイドピン３０を取り外すことで行われる。
【００４３】
次に、図１３に示すように、仮止めされた外蓋５をマンホール１２に対して固定する。これは、固定ボルト用貫通穴のうち、ガイドピン３０が挿入されていた固定ボルト用貫通穴５ｂに固定ボルト７（図１３参照）をそれぞれ挿入し、マンホール１２の端面１２ａに形成された固定ボルト用締結穴１３ｂにそれぞれ締結することで行われる。
【００４４】
これにより、マンホール密閉装置１は、マンホール１２に取り付けられる。このマンホール密閉装置１では、圧力容器１０の内圧が外部の圧力よりも上昇すると、この受圧板２が軸方向のうち外部側に押圧される。ここで、外蓋５に保持されている受圧板２は、マンホール１２に固定されている外蓋５に対して軸方向のうち外部側への移動が可能である。従って、受け座４を介して外蓋５により軸方向のうち外部側への移動が規制されているシールリング３は、受圧板２により、軸方向のうち外部側へ押圧される。これにより、受圧板２の段差部２ｃに挿入されているシールリング３は、径方向、特に外側に膨張し、マンホール１２と確実に当接することで、マンホールと１２と受圧板２との間をシールする。つまり、マンホール密閉装置１は、マンホール１２の外部側の端部を密閉する。
【００４５】
以上のように、治具本体２１に形成されたガイドピン用貫通穴２１ａおよび位置決めボルト用貫通穴２１ｂの位置関係は、ガイドピン３０が固定ボルト用締結穴１３ｂに締結され、位置決めボルト２４が保持ボルト用締結穴２ｂに締結されることから、外蓋５に形成された固定ボルト用貫通穴５ｂおよび保持ボルト用貫通穴５ｃとの位置関係と一致することとなる。従って、受圧板２を固定した状態で、ガイドピン用貫通穴２１ａにガイドピン３０を挿入すると、マンホールの中心Ｏ１とこの取付治具２０に固定された受圧板２の中心Ｏ２とを軸方向においてほぼ一致させることができる。このガイドピン用貫通穴２１ａにガイドピン３０を挿入した状態で、取付治具２０をマンホール側に移動させると、マンホール１２の中心Ｏ１と受圧板２の中心Ｏ２とが軸方向においてほぼ一致した状態で、受圧板２をマンホール１２内に挿入することができる。これにより、取付治具２０によりマンホール１２内に挿入される受圧板２がマンホール１２を損傷することを抑制することができるので、マンホール１２から外部への漏れを抑制することができる。
【００４６】
また、ガイドピン用貫通穴２１ａには、それぞれ複数本のガイドピン３０が挿入される。従って、取付治具２０が受圧板２のマンホール１２内への挿入の際に、その中心Ｏ４を中心に回転することを抑制することができる。これにより、マンホール１２内へ挿入中の受圧板２が回転することで、このマンホールを損傷することを抑制することができるので、マンホールから外部への漏れをさらに抑制することができる。
【００４７】
また、ガイドピン３０は、マンホール１２に対して外蓋５を固定ボルト７により仮止めし、この外蓋５に対して受圧板２を保持ボルト６により保持した後に、取り外される。従って、ガイドピン３０を外蓋５の受圧板２に対する位置決めと、マンホール１２に対する位置決めとに用いることができ、外蓋５に対して受圧板２を容易に保持することができるとともに、マンホール１２に対して外蓋５を容易に固定することができる。これにより、マンホール密閉装置１の取付時における作業性を向上することができる。
【００４８】
なお、マンホール１２に取り付けられたマンホール密閉装置１をこのマンホール１２から取り外すには、この発明にかかるマンホール密閉装置１の取付方法を逆の順序で行えば良い。簡略して説明すると、まず、マンホール１２の固定ボルト用締結穴１３ｂに締結している固定ボルト７を取り外し、ガイドピン３０を固定ボルト用締結穴１３ｂに締結する。次に、マンホール１２の固定ボルト用締結穴１３ａに締結している固定ボルト７を取り外すとともに、受圧板２の保持ボルト用締結穴２ｂに締結している保持ボルト６を取り外す。次に、外蓋５を図示しないチェーンブロックによりガイドピン３０から引き抜く。次に、受け座４およびシールリング３の順番で取り外す。そして、取付治具２０を図示しないチェーンブロックにより吊り上げ、この取付治具２０にマンホール１２内に挿入されている受圧板２を固定し、引き抜くことで行う。
【００４９】
なお、上記実施例においては、取付治具２０を吊り上げ手段により吊り上げる場合について説明したが、この発明はこれに限定されるものではない。例えば、取付治具２０を鉛直方向に移動可能な台車に取り付けても良い。この場合は、バランス部材２２が必要となくなる。
【００５０】
また、上記実施例におけるマンホール密閉装置１は、シールリング３は、受け座４を介して外蓋５により、軸方向のうち外部側への移動が規制されているがこの発明はこれに限定されるものではない。例えば、外蓋５と受け座４との間に、規制部材を配置し、この規制部材により、シールリング３の軸方向のうち外部側への移動を規制しても良い。具体的には、分割可能なリング状の規制部材をマンホール１２に形成された円周状の溝に挿入することで、シールリング３が受圧板２により軸方向のうち外部側に押圧された際に、このシールリング３が軸方向のうち外部側へ移動することを規制して、その径方向に膨張させ、シールすることができるように、分割されているものである。
【産業上の利用可能性】
【００５１】
以上のように、この発明にかかるマンホール密閉装置の取付治具および取付方法は、受圧板を有するマンホール密閉装置に有用であり、特に、マンホールから外部への漏れを抑制するのに適している。
【図面の簡単な説明】
【００５２】
【図１−１】圧力容器のマンホールの構成例を示す図である。
【図１−２】圧力容器のマンホールの断面図を示す図（図１−１のＡ−Ａ断面図）である。
【図２−１】受圧板の構成例を示す図である。
【図２−２】受圧板の断面図を示す図（図２−１のＢ−Ｂ断面図）である。
【図３−１】シールリングの構成例を示す図である。
【図３−２】シールリングの断面図を示す図（図３−１のＣ−Ｃ断面図）である。
【図４−１】受け座の構成例を示す図である。
【図４−２】受け座の断面図を示す図（図４−１のＥ−Ｅ断面図）である。
【図５−１】外蓋の構成例を示す図である。
【図５−２】外蓋の断面図を示す図（図５−１のＦ−Ｆ面図）である。
【図６−１】マンホール密閉装置の取付治具の裏面図である。
【図６−２】マンホール密閉装置の取付治具の側面図である。
【図７−１】マンホール密閉装置の取付方法を示す図である。
【図７−２】マンホール密閉装置の取付方法を示す図である。
【図８−１】マンホール密閉装置の取付方法を示す図である。
【図８−２】マンホール密閉装置の取付方法を示す図である。
【図９−１】マンホール密閉装置の取付方法を示す図である。
【図９−２】マンホール密閉装置の取付方法を示す図である。
【図１０−１】マンホール密閉装置の取付方法を示す図である。
【図１０−２】マンホール密閉装置の取付方法を示す図である。
【図１１−１】マンホール密閉装置の取付方法を示す図である。
【図１１−２】マンホール密閉装置の取付方法を示す図である。
【図１２】マンホール密閉装置の取付方法を示す図である。
【図１３】マンホール密閉装置の取付状態を示す図である。
【図１４】従来のマンホール密閉装置を示す図である。
【符号の説明】
【００５３】
１  マンホール密閉装置
２  受圧板
２ａ  面
２ｂ  保持ボルト用締結穴
２ｃ  段差部
３  シールリング（シール部材）
３ａ  開口部
４  受け座
４ａ  開口部
５  外蓋
５ａ，５ｂ  固定ボルト用貫通穴
５ｃ  保持ボルト用貫通穴
５ｄ  ジャッキボルト穴
６  保持ボルト
７  固定ボルト
１０  圧力容器
１１  外壁
１２  マンホール
１２ａ  端面
１３ａ，１３ｂ  固定ボルト用締結穴
２０  取付治具
２１  治具本体
２１ａ  ガイドピン用貫通穴
２１ｂ  位置決めボルト用貫通穴
２１ｃ  吊り上げ用部材
２２  バランス部材
２３  スペーサ
２３ａ  連通孔
２４  位置決めボルト
３０  ガイドピン
４０  チェーンブロック（吊り上げ手段）
１００  マンホール
１０１  マンホール密閉装置
１０２  シール板
１０３  外蓋
１０３ａ  ボルト穴
１０４  ボルト
１１０  圧力容器
１１１ａ  締結穴
【図１−１】
2007155054.tif 000003
【図１−２】
2007155054.tif 000004
【図２−１】
2007155054.tif 000005
【図２−２】
2007155054.tif 000006
【図３−１】
2007155054.tif 000007
【図３−２】
2007155054.tif 000008
【図４−１】
2007155054.tif 000009
【図４−２】
2007155054.tif 000010
【図５−１】
2007155054.tif 000011
【図５−２】
2007155054.tif 000012
【図６−１】
2007155054.tif 000013
【図６−２】
2007155054.tif 000014
【図７−１】
2007155054.tif 000015
【図７−２】
2007155054.tif 000016
【図８−１】
2007155054.tif 000017
【図８−２】
2007155054.tif 000018
【図９−１】
2007155054.tif 000019
【図９−２】
2007155054.tif 000020
【図１０−１】
2007155054.tif 000021
【図１０−２】
2007155054.tif 000022
【図１１−１】
2007155054.tif 000023
【図１１−２】
2007155054.tif 000024
【図１２】
2007155054.tif 000025
【図１３】
2007155054.tif 000026
【図１４】
2007155054.tif 000027